(57)【要約】【課題】幅木本体の長手方向に沿った下端部に表面側から裏面側へ上方傾斜する傾斜面を設けているので、この一本の幅木を切断して傾斜面を有する縦幅木と横幅木とを形成し、この横幅木の傾斜面を当接して簡単に隙間が開かないように施工できるようにした幅木及びその幅木の廻り階段への取付構造を提供する。【解決手段】長尺状の幅木本体１の長手方向に沿った下端部２に表面側３から裏面側４へ上方傾斜する傾斜面５を設け、表面３及び上面７を完全被覆するとともに、上面７から裏面４の端部及び傾斜面５の端部に延設する化粧シート８を貼着する。【選択図】        図３
2004169380.tif 000002
【特許請求の範囲】
【請求項１】
幅木本体の長手方向に沿った下端部に表面側から裏面側へ上方傾斜する傾斜面を設けたことを特徴とする幅木。
【請求項２】
上記幅木本体の表面及び上面を完全被覆するとともに、上面から裏面端部及び傾斜面の端部に延設する化粧シートを貼着することを特徴とする請求項１記載の幅木。
【請求項３】
踏み板と蹴込板とで廻り階段を形成した幅木の取付構造において、前記踏み板上で上記幅木の傾斜面が表面側から裏面側へ上方傾斜するように壁面に固着するとともに平面視で水平傾斜する蹴込板の立上り部に上記幅木の傾斜面の端部が当接するように横方向に転回して固着することを特徴とする請求項１又は請求項２記載の幅木の廻り階段への取付構造。
【発明の詳細な説明】
【０００１】
【発明の属する技術分野】
本発明は、建物の内壁材の下面や階段、廻り階段等の内壁材の下面に固着される幅木及びその幅木の廻り階段への取付構造に関するものである。
【０００２】
【従来の技術】
従来から踏み板と蹴込板を備えた廻り階段部における、この蹴込板と壁面又は柱側面との境界部に配設される廻り階段用幅木において、蹴込板に面する蹴込板板面と上記壁面又は柱側面に面する壁・柱面との角度が、上記蹴込板の表面と上記壁面又は上記柱側面との角度に略等しくされている予め形成された廻り階段用幅木と横幅木でもって、廻り階段へ幅木を固着する取付構造がある。
（例えば、特許文献１参照）
【０００３】
【特許文献１】
特開平１０−３７４２０号公報（第１−３頁、図１、図２、図６）
【０００４】
このように、廻り階段用幅木と横幅木でもって、廻り階段へ幅木を固着する取付構造において、廻り階段部における蹴込板と、壁面又は柱側面との境界部の外観を美麗に仕上げることのできるものでありますが、本願発明の階段用幅木の構造では、踏み板と蹴込板と壁面との境界部に幅木を配設して、外観の美観を損なわないようにしている。そして、廻り階段用幅木と横幅木の二部材で固定しているので、幅木材料形状の仕上げに時間がかかり、材料コストが高く、角度合わせが困難となり、施工のしにくい幅木である。
【０００５】
【発明が解決しようとする課題】
本発明は上記問題点の解決を目的とするものであり、幅木本体の長手方向に沿った下端部に表面側から裏面側へ上方傾斜する傾斜面を設けているので、この一本の幅木を切断して傾斜面を有する縦幅木と横幅木とを形成し、この横幅木の傾斜面を当接して簡単に隙間が開かないように施工できるようにした幅木及びその幅木の廻り階段への取付構造に設けられたを提供するものである。
【０００６】
【課題を解決するための手段】
本発明の請求項１記載の幅木は、幅木本体の長手方向に沿った下端部に表面側から裏面側へ上方傾斜する傾斜面を設けたことを特徴とするものである。
【０００７】
したがって、通常の内壁面に簡単に幅木を固定できるとともに廻り階段でも幅木を切断することで、蹴込板に傾斜面を当接することにより隙間なく簡単に施工が可能となる。
【０００８】
本発明の請求項２記載の幅木は、請求項１記載の幅木本体の表面及び上面を完全被覆するとともに、上面から裏面端部及び傾斜面の端部に延設する化粧シートを貼着することを特徴とするものである。
【０００９】
したがって、幅木を縦方向に切断して、横幅木と縦幅木として用いられても化粧シートが剥がれることもなく簡単に施工できる。
【００１０】
本発明の請求項３記載の幅木の廻り階段への取付構造は、請求項１又は請求項２記載の幅木を用いて、踏み板と蹴込板とで廻り階段を形成した幅木の取付構造において、前記踏み板上で上記幅木の傾斜面が表面側から裏面側へ上方傾斜するように壁面に固着するとともに平面視で水平傾斜する蹴込板の立上り部に上記幅木の傾斜面の端部が当接するように横方向に転回して固着することを特徴とするものである。
【００１１】
したがって、この一本の幅木を切断して廻り階段として用いられる場合には、傾斜面を有する縦幅木と横幅木とを形成し、この横幅木の傾斜面を蹴込板に当接することにより、簡単に隙間が開かないように施工ができる。
【００１２】
【発明の実施の形態】
図１及び図２に示したように、本発明の実施形態に係わる幅木及び図３乃至図７に示したの幅木の廻り階段への取付構造であって、以下に説明する。
【００１３】
図１（ａ）、（ｂ）及び図２（ａ）、（ｂ）に示したように、本発明の幅木Ａは、長尺状の幅木本体１の長手方向に沿った下端部２に表面側３から裏面側４へ上方傾斜する傾斜面５を設けたものである。
【００１４】
この幅木Ａによって、通常の内壁面に簡単に横幅木Ａ１を固定できるとともに廻り階段６でも幅木Ａを切断して傾斜面５を９０度転換することで（ｂ）のような縦幅木Ａ２を形成することができる。
【００１５】
尚、図２の幅木Ｂは、異なる実施形態であり、上記幅木Ａの幅木本体１の表面３及び上面７を完全被覆するとともに、上面７から裏面４の端部及び傾斜面５の端部に延設する化粧シート８を貼着したものである。
【００１６】
このように、幅木Ｂを縦方向に切断して、横幅木Ｂ１と幅木Ｂを切断して傾斜面５を９０度転換することで（ｂ）のような縦幅木Ｂ２として用いられても化粧シート８が剥がれることもなく廻り階段６及び壁面９に簡単に施工できる。
【００１７】
図３乃至図７において、請求項１又は請求項２記載の幅木Ａ、Ｂを用いて、踏み板１０と蹴込板１１とで廻り階段６を形成した幅木の取付構造において、前記踏み板１０の上で上記幅木Ａ、Ｂの傾斜面５が表面側３から裏面側４へ上方傾斜するように内壁面１２に固着するとともに平面視で水平傾斜する蹴込板１１の立上り部１３に上記幅木Ａ、Ｂの傾斜面５の端部が当接するように横方向に転回して固着するものである。
【００１８】
このようにすることで、この一本の幅木Ａ又は幅木Ｂを切断して廻り階段９として用いられる場合には、傾斜面５を有する縦幅木Ａ１，Ｂ１と横幅木Ａ２，Ｂ２とを形成し、この横幅木Ａ２，Ｂ２の傾斜面５を蹴込板１１の表面に当接することにより、簡単に隙間が開かないように施工ができる。
【００１９】
以下、本発明の一実施例に係わる幅木及び幅木の廻り階段への取付構造について、図１乃至図７に基づいて詳述する。
【００２０】
図１において、幅木Ａは、長尺状の合成木材等の木質製や合成樹脂製、セメント、粘土等の無機質系材料でできた幅木本体１の長手方向に沿った下端部２に表面側３から裏面側４へ上方傾斜する傾斜面５が設けられている。
【００２１】
この幅木Ａによって、通常の内壁面に簡単に横幅木Ａ１を固定できるとともに廻り階段６に利用する際にも、幅木Ａを切断して傾斜面５を９０度転換することで（ｂ）のような縦幅木Ａ２を形成することができる。
【００２２】
したがって、一つの幅木Ａで横幅木Ａ１及び縦幅木Ａ２ができ、特に廻り階段へ取付ける場合に有効と成る。
【００２３】
図２において、異なる実施例に係わる幅木Ｂは、図１の幅木Ａの幅木本体１の表面３及び上面７を完全被覆するとともに、上面７から裏面４の端部及び傾斜面５の端部に延設する合成樹脂シート、突き板等の化粧シート８を接着剤で貼着したものである。
【００２４】
このとき、化粧シート８は、表裏面全面を貼着するものではなく、幅木本体１の上面７から裏面４の端部及び傾斜面５の端部に延設して貼着すれば化粧シート８の材料が少なくて済み経済的であり、化粧シート８の剥離強度も大きくなるものである。
【００２５】
この幅木Ｂを縦方向に切断して、横幅木Ｂ１と幅木Ｂを切断して傾斜面５を９０度転換すること縦幅木Ｂ２として用いられても化粧シート８が剥がれることもなく廻り階段９に簡単に施工できる。
【００２６】
図３は、廻り階段の要部の斜視図を示すものであり、図４は、図３の平面視の廻り階段を示すものであって、踏み板１０と蹴込板１１とで廻り階段９を形成したものである。このときに、幅木Ａを通常の踏み板１０上に用いるものを横幅木Ａ１とし、この横幅木Ａ１を切断して傾斜面５を９０度転換することで縦幅木Ａ２を形成する。この縦幅木Ａ２は、踏み板１０の切込み溝１４に嵌挿され、蹴込板１１の表面１６に幅木Ａの傾斜面５の端部が当接するように横方向に転回して釘や接着剤で固着するものである。尚、上記幅木Ａは、化粧シート８を貼着した幅木Ｂを用いても同様である。
【００２７】
図５は、廻り階段の踏み板１０の隅部に横幅木Ａ１を切断して傾斜面５を下方にした状態で釘や接着剤で固着するようにしたものである。
【００２８】
図６は、廻り階段の縦幅木Ａ２を施工するもので、蹴込板１１の角度が約６０度の表面に、傾斜面５を蹴込板１１の表面に当接することにより、簡単に隙間が開かないように施工することができる。
【００２９】
さらに、図７（ａ）に示したように、廻り階段の蹴込板１１の角度が鈍角になった場合や、（ｂ）に示したように、廻り階段の蹴込板１１の角度が１８０度になった場合でも簡単に縦幅木Ａ２の傾斜面５によって、隙間なく施工することができる。
【００３０】
【発明の効果】
上述の如く、本発明の請求項１記載の幅木は、幅木本体の長手方向に沿った下端部に表面側から裏面側へ上方傾斜する傾斜面が設けられているので、通常の内壁面に簡単に幅木を固定できるとともに廻り階段でも幅木を切断することで、蹴込板に傾斜面を当接することにより隙間なく簡単に施工が可能となる。
【００３１】
本発明の請求項２記載の幅木は、幅木本体の表面及び上面を完全被覆するとともに、上面から裏面端部及び傾斜面の端部に延設する化粧シートを貼着しているので、幅木を縦方向に切断して、横幅木と縦幅木として用いられても化粧シートが剥がれることもなく簡単に施工できる。
【００３２】
本発明の請求項３記載の幅木の廻り階段への取付構造は、踏み板と蹴込板とで廻り階段を形成した幅木の取付構造において、前記踏み板上で上記幅木の傾斜面が表面側から裏面側へ上方傾斜するように壁面に固着するとともに平面視で水平傾斜する蹴込板の立上り部に上記幅木の傾斜面の端部が当接するように横方向に転回して固着しているので、この一本の幅木を切断して廻り階段として用いられる場合には、傾斜面を有する縦幅木と横幅木とを形成し、この横幅木の傾斜面を蹴込板に当接することにより、簡単に隙間が開かないように施工ができる。
【図面の簡単な説明】
【図１】（ａ）は、本発明の一実施例に係わる幅木を示す斜視図であり、（ｂ）は、（ａ）を縦幅木とした斜視図である。
【図２】（ａ）は、本発明の異なる実施例に係わる幅木を示す斜視図であり、（ｂ）は、（ａ）を縦幅木とした斜視図である。
【図３】本発明の実施例に係わる幅木を廻り階段に施工した状態を示す要部の斜視図である。
【図４】本発明の横幅木及び縦幅木を廻り階段に施工する状態を示す要部の平面図である。
【図５】本発明の図３及び図４に示したＸ−Ｘ縦断面図である。
【図６】本発明の図３及び図４に示したＡ部の拡大した要部の平面図である。
【図７】（ａ）は、本発明の蹴込板が鈍角の場合の縦幅木の取付け状態を示す平面図、（ｂ）は、蹴込板が１８０度の場合の縦幅木の取付け状態を示す平面図である。
【符号の説明】
Ａ、Ｂ          幅木
Ａ１，Ｂ１      横幅木
Ａ２，Ｂ２      縦幅木
１      幅木本体
２      下端部
３      表面
４      裏面
５      傾斜面
６      廻り階段
７      上面
８      化粧シート
９      壁面
１０    踏み板
１１    蹴込板
１２    内壁面
１３    立上り部
１４    切込み溝
【図１】
2004169380.tif 000003
【図２】
2004169380.tif 000004
【図３】
2004169380.tif 000005
【図４】
2004169380.tif 000006
【図５】
2004169380.tif 000007
【図６】
2004169380.tif 000008
【図７】
2004169380.tif 000009